(57)【要約】【課題】  対の車輪の着地位置を偏移構造にし、また着地に時間差を設けて、底板の開閉を可能とし、またアームとリンク等の可動手段を設けたボックスホッパーであった。この対の車輪の構成、可動手段では、機構が複雑となること、コストの上昇と、操作の困難性等を招来する虞がある。【構成】  本発明は、上部ボックスに開閉自在に枢着された一方側・他方側の半截下部ボックスを備えたボックスパレットであって、上部ボックスの両側面に対の半截下部ボックスの開閉を司る対のクランク機構を設け、クランク機構の枢支フックが係止されるピンを一方側の半截下部ボックスの両側面に設け、また一方側・他方側の半截下部ボックスに夫々誘導用の一方の部品と、誘導用の他方の部品を設けたボックスパレットである。【選択図】    図３
2005255197.tif 000002
【特許請求の範囲】
【請求項１】
方形状の上部ボックスと、この方形状の上部ボックスに開閉自在に枢着された一方側・他方側の半截下部ボックスとでなる対の半截下部ボックスとで構成したボックスパレットであって、
前記上部ボックスの両側面に前記対の半截下部ボックスの開閉を司る対のクランク機構を設け、このクランク機構の枢支フックが係止されるピンを前記一方側の半截下部ボックスの両側面に設け、またこの一方側の半截下部ボックスの両側面に誘導用の一方の部品を設け、当該一方側の半截下部ボックスに対峙して設けた他方側の半截下部ボックスの両側面に前記誘導用の一方の部品と係り合う他方の部品を設け、前記対の半截下部ボックスの開放空間を規制する連結具とで構成したボックスパレット。
【請求項２】
請求項1に記載した上部ボックスに、フォークリフトの爪が挿入される筒形空洞部を設ける構成としたボックスパレット。
【請求項３】
請求項1に記載した対のクランク機構は、上部ボックスの両側面に枢支した対の操作板と、この対の操作板の復帰を司る当該操作板又は枢支フックと上部ボックスに設けた対の弾性体と、当該操作板の基端側に差渡し設けた連結杆と、前記操作板の自由端分岐部に枢着した枢支フックとで構成し、この操作板の開放操作を利用して、前記枢支フックが前記ピンより離間するとともに、前記弾性体を圧縮する構成としたボックスパレット。
【請求項４】
請求項1に記載した誘導用の一方の部品と誘導用の他方の部品を、一方側の半截下部ボックスに設けた誘導用の水平突出板と、前記他方側の半截下部ボックスに設けた誘導用の係止片とで構成し、この誘導用の水平突出板が、この他方側の半截下部ボックスの略1/4まで突出する構成としたボックスパレット。
【請求項５】
請求項1に記載した対の半截下部ボックスの底板を延設して末広がりで略樋状の受け部を形成し、この受け部に遮蔽用の弾性体を設ける構成としたボックスパレット。
【請求項６】
請求項1に記載した対の半截下部ボックスの底板を、その開放端に向かって下がり勾配とする構成としたボックスパレット。
【発明の詳細な説明】
【技術分野】
【０００１】
本発明は、各種の廃材、産業廃棄物、ゴミ又は加工部品等の物を収容し、ワンタッチで排出できるボックスパレットに関する。
【背景技術】
【０００２】
従来、この物(廃棄物とする)を収容し、ワンタッチで排出できるボックスパレット(ダストボックス、箱体、収容箱)に関する文献は多数散見される。その中で、廃棄物を収容し、トラック等の高い箇所での排出を意図するボックスパレットとしては、特開平10-101075号の「ボックスパレット」、特開平8-20403号の「ボックスパレット」、又は特開平8-20404号の「ボックスパレット」等の「ボックスパレット」という一例の構造(文献(1)〜(3)とする)と、特開平6-321239号の「ボックスパレット」の構造(文献(4)とする)とがある。
【０００３】
以下、この文献を説明すると、先ず、文献(1)〜(3)は、略同じ内容となるものであり、その目的は、底板の開放を、その底板を枢支する鉛直線の下方に開放可能として、このボックス内に収容した廃棄物を、トラックの荷台に確実に排出することを意図する。そのために、当該発明では、底板をボックスの両側面に配した、複数のアームと、このアームを可動する枢軸並びこのアームを固定するロック機構(ロックバー)、又は作動リンク等を介して開閉する構成である。また文献(4)は、蓋体の開閉スペースを小さくし、また中心部位に収容物を排出することを意図する。そのために、この発明では、本体部の底部に、対の蓋体を設け、この蓋体の枢支部を底部よりやや上方に配し、また蓋体には開閉レバーを設け、この開閉レバーがリンクを介して作動されることによって、この蓋体を開閉するとともに、この蓋体の閉塞時に、当該開閉レバーの自由端を収容部の側面にロックする構成である。
【０００４】
【特許文献１】特開平10-101075号
【特許文献２】特開平8-20403号
【特許文献３】特開平8-20404号
【特許文献４】特開平6-321239号
【発明の開示】
【発明が解決しようとする課題】
【０００５】
前記文献(1)〜(3)の発明は、対の車輪を一方向において、着地位置を偏移構造とするとともに、着地の時間差とを利用して、底板の開閉を可能とした構成であり、かつこの構成を採用するために、アームとリンク等(可動手段)を採用することを特徴とする。しかし、この対の車輪の構成と、前記可動手段とを採用することは、機構が複雑となること、複雑故に、コストの上昇と、操作の困難性等を招来する虞があること等の改良すべき点が考えられる。また底板の構造が、開閉口(底板の自由端間)の接触・離間(接離)の構造では、細かな収容物(廃棄物)の場合は、この開閉口より漏れ及び／又は漏れ落ちる虞があり、汎用性に欠けること等の問題点もあり得る。
【０００６】
また文献(4)の発明は、開閉レバーの開閉動作をリンクの可動によって行う構成であることから、このリンクの開閉時に収容物及び／又は蓋体の重量と、排出等による衝撃が加わる虞があり、この衝撃が蓋体及び／又は枢着部の耐久性の劣化と、故障の要因となること等の改良すべき点がある。また底板の構造が、開閉口(蓋体の自由端間)の接離の構造では、細かな収容物の場合は、この開閉口より漏れ落ちる虞があり、汎用性に欠けること等の問題点もあり得る。
【課題を解決するための手段】
【０００７】
請求項1の発明は、一方側・他方側の半截下部ボックスは枢着(手段)を介して開閉する構成であるので、この対の半截下部ボックス、またアーム及び／又はリンク等の機構(開閉装置)への衝撃を少なくすること、またボックスパレットの耐久性の向上を図ること等を意図する。また対の半截下部ボックスの開閉を、枢支フックを備えたクランク機構とピンとで行う構成であるので、高所における対の半截下部ボックスの開閉をスムーズに行うこと、また対の半截下部ボックスの開閉をスムーズに行うこと、力を要さず簡便にすること等を意図する。
【０００８】
請求項1は、方形状の上部ボックスと、この方形状の上部ボックスに開閉自在に枢着された一方側・他方側の半截下部ボックスとでなる対の半截下部ボックスとで構成したボックスパレットであって、
前記上部ボックスの両側面に前記対の半截下部ボックスの開閉を司る対のクランク機構を設け、このクランク機構の枢支フックが係止されるピンを前記一方側の半截下部ボックスの両側面に設け、またこの一方側の半截下部ボックスの両側面に誘導用の一方の部品を設け、当該一方側の半截下部ボックスに対峙して設けた他方側の半截下部ボックスの両側面に前記誘導用の一方の部品と係り合う他方の部品を設け、前記対の半截下部ボックスの開放空間を規制する連結具とで構成したボックスパレットである。
【０００９】
請求項2の発明は、請求項1の目的を達成すること、このボックスパレットにフォークリフトの爪を挿入できる筒形空洞部を設ける構成として、使用の簡便性と、能率的な運搬を図ること等を意図する。
【００１０】
請求項2は、請求項1に記載した上部ボックスに、フォークリフトの爪が挿入される筒形空洞部を設ける構成としたボックスパレットである。
【００１１】
請求項3の発明は、請求項1の目的を達成すること、この目的を達成するに最適なクランク機構を提供すること等を意図する。
【００１２】
請求項3は、請求項1に記載した対のクランク機構は、上部ボックスの両側面に枢支した対の操作板と、この対の操作板の復帰を司る当該操作板又は枢支フックと上部ボックスに設けた対の弾性体と、当該操作板の基端側に差渡し設けた連結杆と、前記操作板の自由端分岐部に枢着した枢支フックとで構成し、この操作板の開放操作を利用して、前記枢支フックが前記ピンより離間するとともに、前記弾性体を圧縮する構成としたボックスパレットである。
【００１３】
請求項4の発明は、請求項1の目的を達成すること、この目的を達成するに最適な誘導用の一方の部品と誘導用の他方の部品の提供と、この誘導用の一方の部品と誘導用の他方の部品を利用して、対の半截下部ボックスの開閉をスムーズにすること等を意図する。
【００１４】
請求項4は、請求項1に記載した誘導用の一方の部品と誘導用の他方の部品を、一方側の半截下部ボックスに設けた誘導用の水平突出板と、前記他方側の半截下部ボックスに設けた誘導用の係止片とで構成し、この誘導用の水平突出板が、この他方側の半截下部ボックスの略1/4まで突出する構成としたボックスパレットである。
【００１５】
請求項5の発明は、請求項1の目的を達成すること、この目的を達成するに最適な対の半截下部ボックスの底板を提供すること等を意図する。また対の半截下部ボックスの底板からの廃棄物の漏れ等を失くすことを意図する。
【００１６】
請求項5は、請求項1に記載した対の半截下部ボックスの底板を延設して末広がりで略樋状の受け部を形成し、この受け部に遮蔽用の弾性体を設ける構成としたボックスパレットである。
【００１７】
請求項6の発明は、請求項1の目的を達成すること、この目的を達成するに最適な対の半截下部ボックスの底板を提供すること等を意図する。また対の半截下部ボックスの底板における廃棄物の滞留等を失くすことを意図する。
【００１８】
請求項6は、請求項1に記載した対の半截下部ボックスの底板を、その開放端に向かって下がり勾配とする構成としたボックスパレットである。
【発明の効果】
【００１９】
請求項1の発明は、方形状の上部ボックスと、方形状の上部ボックスに開閉自在に枢着された一方側・他方側の半截下部ボックスとでなる対の半截下部ボックスとで構成したボックスパレットであって、
上部ボックスの両側面に対の半截下部ボックスの開閉を司る対のクランク機構を設け、クランク機構の枢支フックが係止されるピンを一方側の半截下部ボックスの両側面に設け、また一方側の半截下部ボックスの両側面に誘導用の一方の部品を設け、一方側の半截下部ボックスに対峙して設けた他方側の半截下部ボックスの両側面に誘導用の一方の部品と係り合う他方の部品を設け、対の半截下部ボックスの開放空間を規制する連結具とで構成したボックスパレットである。
【００２０】
従って、請求項1は、一方側・他方側の半截下部ボックスは枢着を介して開閉する構成であるので、この対の半截下部ボックス、またアーム及び／又はリンク等の機構への衝撃を少なくすること、またボックスパレットの耐久性の向上が図れること等の特徴がある。また対の半截下部ボックスの開閉を、枢支フックを備えたクランク機構とピンとで行う構成であるので、高所における対の半截下部ボックスの開閉が行えること、また対の半截下部ボックスの開閉をスムーズに行えること、力を要さず簡便にできること等の利点がある。
【００２１】
請求項2は、請求項1に記載した上部ボックスに、フォークリフトの爪が挿入される筒形空洞部を設ける構成としたボックスパレットである。
【００２２】
従って、請求項2は、請求項1の目的を達成できること、このボックスパレットにフォークリフトの爪を挿入できる筒形空洞部を設ける構成として、使用の簡便性と、能率的な運搬が図れること等の特徴がある。
【００２３】
請求項3の発明は、請求項1に記載した対のクランク機構は、上部ボックスの両側面に枢支した対の操作板と、対の操作板の復帰を司る操作板又は枢支フックと上部ボックスに設けた対の弾性体と、操作板の基端側に差渡し設けた連結杆と、操作板の自由端分岐部に枢着した枢支フックとで構成し、操作板の開放操作を利用して、枢支フックがピンより離間するとともに、弾性体を圧縮する構成としたボックスパレットである。
【００２４】
従って、請求項3の発明は、請求項1の目的を達成できること、この目的を達成するに最適なクランク機構を提供できること等の特徴がある。
【００２５】
請求項4の発明は、請求項1に記載した誘導用の一方の部品と誘導用の他方の部品を、一方側の半截下部ボックスに設けた誘導用の水平突出板と、他方側の半截下部ボックスに設けた誘導用の係止片とで構成し、誘導用の水平突出板が、他方側の半截下部ボックスの略1/4まで突出する構成としたボックスパレットである。
【００２６】
従って、請求項4は、請求項1の目的を達成できること、この目的を達成するに最適な誘導用の一方の部品と誘導用の他方の部品の提供と、この誘導用の一方の部品と誘導用の他方の部品を利用して、対の半截下部ボックスの開閉がスムーズにできること等の特徴がある。
【００２７】
請求項5の発明は、請求項1に記載した対の半截下部ボックスの底板を延設して末広がりで略樋状の受け部を形成し、受け部に遮蔽用の弾性体を設ける構成としたボックスパレットである。
【００２８】
従って、請求項5は、請求項1の目的を達成できること、この目的を達成するに最適な対の半截下部ボックスの底板を提供できること等の特徴がある。また対の半截下部ボックスの底板からの廃棄物の漏れ等を失くし得る利点がある。
【００２９】
請求項6の発明は、請求項1に記載した対の半截下部ボックスの底板を、その開放端に向かって下がり勾配とする構成としたボックスパレットである。
【００３０】
従って、請求項6は、請求項1の目的を達成できること、この目的を達成するに最適な対の半截下部ボックスの底板を提供できること等の特徴がある。また対の半截下部ボックスの底板における廃棄物等の滞留を失くし得る利点がある。
【発明を実施するための最良の形態】
【００３１】
以下、本発明の実施の態様(形態)を説明する。
【００３２】
本発明は、図1〜図9に示した一例と、図10〜図12に示した一例とが代表例であり、同様な構成と、機能を備えたボックスパレットは本発明の範疇である。
【００３３】
先ず、図1〜図8に示した一例を説明すると、1は鋼材(鉄、アルミ等)を略方形状に枠組した下端が略逆山形状を呈する両側面と、この両側面の逆山形状の谷部を繋ぐ方形状の他の両側面とで構成した上部ボックスで、この上部ボックス1の下端には両側面間に差渡したフォークリフト(図示せず)の爪が挿入される筒形空洞部2が対で設けられており、この例では、前記略逆山形状の山部の両端部位に設けられている。この筒形空洞部2の上面には、廃棄物の滞留回避と、補強等を意図する側面視して山形部材、半球形状等の易滑部材200が設けられている。また必要により、両側面間上方には、例えば、瓦の破壊に利用する突起4を備えた補強等に役立つ補助梁3を差渡し設ける。尚、上部ボックス1には、積上げ用の突起100(柱)と、プレート挿入用棧101と、吊下げ用丸環102とを備えている。
【００３４】
この上部ボックス1には多数の丁番5を介して前記略逆山形状に附合した(合体する)上端を備えた対の半截下部ボックス(一方側の半截下部ボックス6、他方側の半截下部ボックス7)が枢着される。この一方側の半截下部ボックス6、他方側の半截下部ボックス7は、対峙関係に構成されているので、共通する構成は一方側の半截下部ボックス6の説明で割愛する。この一方側の半截下部ボックス6は、三方向の側面6a、6b、6cと、内側に向かって傾斜する底板6dとで構成されており、主要な箇所に必要により角柱の補強鋼材6eが設けられる。この底板6dの自由端を延設して末広がりで略樋状の受け部6d-1を形成し、この受け部6d-1の隅にスポンジ、ゴム等でなる遮蔽用の弾性体9を設ける。また他方側の半截下部ボックス7は、三方向の側面7a、7b、7cと、内側に向かって傾斜する底板7dとで構成し、主要な箇所に必要により角柱の補強鋼材7eが複数本設けられる。この底板7dの自由端を延設して末広がりで略樋状の受け部7d-1を形成し(自由端と直交する長手方向に形成し)、この受け部7d-1の隅にスポンジ、ゴム等でなる遮蔽用の弾性体9を設ける。この底板6d、7dとの間に隙間8(開口)を形成して、廃棄物及び／又は水等の流体物の排出を容易にすることが望ましいが一例である。前記受け部6d-1、受け部7d-1の弾性体9、9の接触を利用して隙間8の閉塞を図る。尚、この底板6d、7dに車輪10、10を設けることで、前記一方側の半截下部ボックス6と他方側の半截下部ボックス7を閉塞するときに、この車輪10、10が地面、床面等の据付面に最初に接触し、この一方側の半截下部ボックス6と他方側の半截下部ボックス7を閉塞方向に誘導する利点がある。またボックスパレットの移動時の車輪10、10となる。そして、この車輪10、10は、底板6d、7dの補強を意図して両側面間の略1/3の箇所に設けられている。従って、本発明のボックスパレットに重量物を収容する場合、又は大きな荷重がかかる場合にも破壊、反返り等は皆無である。またこの車輪10、10の上方に受け部6d-1、7d-1が設けられることは、図面の通りである。図中10a、10aは、車輪10、10の取付け部であり、この取付け部10a、10aは、底板6d、7dの補強を意図して両側面間の略1/3の箇所に設けられている。この取付け部10a、10a箇所による効果は、前述の車輪10、10に準ずる。この構成は、対の半截下部ボックスの可動距離を少なくして、例えば、リフトを利用してトラック上で開放する場合に、煽り及び／又は底面に妨害されずに開放可能な構造とした。この使用例に限定されず他の使用例も可能であることは勿論である。
【００３５】
12、12は一方側の半截下部ボックス6の底板6dと、他方側の半截下部ボックス7の底板7dとの外側に設けたフォークリフトの爪が挿入される筒形空洞部12、12で、この底板6d、底板7dの傾斜方向に直交する方向に設けること、又は前記筒形空洞部2、2と同じ方向及び／又は位置に設けることが、ボックスパレット、フォークリフト等の取扱いの簡便性、強度の向上等に有益である。尚、この筒形空洞部2、2及び／又は筒形空洞部12、12は、ボックスパレットの側面6a、7aの端よりやや突出する構成として、フォークリフトの爪等の衝突による弊害を回避する。
【００３６】
図中13、14はクランク機構を構成する前記上部ボックス1の側面1aと側面1b(両側面)にそれぞれ枢支した操作板で、側面視して略一文字を呈しており、この操作板13、14の基端側には連結杆15を差渡し設け(側面6bに間隔を置いて併設されている)、この操作板13、14が連動する構造となっている。またこの上部ボックス1と枢支フック(後述する)との間には操作板13、14の復帰を司るスプリング、ゴム等の弾性体16、16が設けられている。従って、この連結杆15を押下げる所作をすることで、当該操作板13、14は枢支軸13a、14a(取付け位置で操作板13、14に対する可動力が制御される)を支点として可動し、後述する枢支フック17、17が、一方側の半截下部ボックス6に設けたピン18、18(このピン18、18は回転自在な転子とすることが、当該枢支フック17、17の係止に有効である)より離間する。この離間の状態において、当該操作板13、14の基端側の下方への可動と、枢支フック17、17の可動とを介して弾性体16、16が伸張される。そして、この操作板13、14と、弾性体16、16の復帰に関しては後述する。尚、この操作板13、14の自由端側(可動先端側)は、分岐構造となっていて、この分岐部13b、13b(14b、14b)間には前記枢支フック17、17の折曲げ端部17a、17a(17a、17a)が係止嵌入されている。そして、この枢支フック17、17は一方側の半截下部ボックス6に設けた枢軸17b、17bに枢着されているが、この枢着(17b、17b)位置は一方側の半截下部ボックス6に設けたピン18、18の上方で、同じ鉛直方向に設けられていて、しかもこの枢支フック17、17に設けた係止切欠き17c、17cがピン18、18に係止される構造である。図中13c(14c)は分岐部13b、13b(14b、14b)に設けた転子を備えた係止軸で、この係止軸13c(14c)の停止には当該折曲げ端部17a、17a(17a、17a)が係止されている。尚、このクランク機構を構成する操作板13、14と、弾性体16、16と、枢支フック17、17、またピン18、18等は一例であり、同じ構成、機能又は作用をする他の構造でも可能であって、限定されない。
【００３７】
以下、この操作板13、14と枢支フック17、17とピン18、18との連繋関係を説明すると、前記係止軸13c(14c)は、前記操作板13、14の連結杆15の下方(イ矢印方向)への可動で、枢支軸13a、14aを支点として上方(ロ矢印方向)に可動した際に連動する。この連動を介して枢支フック17、17は右方向(ハ矢印方向)に可動する。また操作板13、14が下方に可動した際に、弾性体16、16は伸張される。そして、この枢支フック17、17は、枢軸17ｂ、17ｂを支点として可動するとともに、折曲げ端部17a、17a(17a、17a)が左方向(ニ矢印方向)に可動する。この折曲げ端部17a、17a(17a、17a)の可動により、当該枢支フック17、17が枢軸17b、17bを支点として可動する。この可動を介して当該枢支フック17、17の係止切欠き17c、17cがピン18、18より離間することで、一方側・他方側の半截下部ボックス6・7が、その丁番5、5を介して可動し、この一方側・他方側の半截下部ボックス6・7(対の半截下部ボックス)が開放される。またこの際に、弾性体16、16の伸張は停止される。尚、この操作板13、14の開放は、通常はトラック(図示しない)の上方であり、前記連結杆15を、係止フック片(環等)を備えた棹、吊下げた紐、人手等の各種の手段を介して操作する。勿論、人に危害が及ばない方法及び／又は位置にて行うことは当然である。
【００３８】
尚、前記ピン18、18に転子を設ける構成は、前記枢支フック17、17の可動をスムーズにするので理想であるが、一例であり限定されない。また前記係止軸13c(14c)には、転子を設けることで、前記折曲げ端部17a、17a(17a、17a)の可動をスムーズにするので理想であるが、一例であり限定されない。
【００３９】
図中19は一方側の半截下部ボックス6に対の支持部材等を利用して設けた誘導用の水平突出板で、この例では、他方側の半截下部ボックス7の略1/2弱まで突出する構成である。また20は他方側の半截下部ボックス7に設けた誘導用の係止片で、この係止片20は前記水平突出板19を誘導し、この誘導を介して一方側の半截下部ボックス6を他方側の半截下部ボックス7に接近させることと、この一方側の半截下部ボックス6の揺れ動き及び／又は時間差で他方側の半截下部ボックス7よりやや早く可動することを保証する。また水平突出板19は、係止片20を支持することで、前記枢支フック17のピン18との係合を利用して、一方側の半截下部ボックス6が他方側の半截下部ボックス7を支持し、この他方側の半截下部ボックス7の開放を規制する。そして、この水平突出板19と、係止片20は、図8に示す他の例がある。この例は、係止片20を袋状に形成し、この係止片20の隙間に水平突出板19を挿入、又は脱外する構成とする。尚、この一方側の半截下部ボックス6の水平突出板19と他方側の半截下部ボックス7の係止片20とによる摺接関係及び／又は一方側の半截下部ボックス6に設けたピン18、18と、上部ボックス1の枢支フック17、17との連繋関係、及びこの一方側の半截下部ボックス6の可動(閉塞方向への動き)とを利用して、他方側の半截下部ボックス7を掬い上げつつ、当該一方側・他方側の半截下部ボックス6・7の確実かつスムーズな可動と、その閉塞とを可能にする。
【００４０】
次に一方側・他方側の半截下部ボックス6・7及び枢支フック17、17とピン18、18との連繋関係を説明すると、この一方側の半截下部ボックス6の閉塞方向への可動の際に、当該一方側の半截下部ボックス6に設けたピン18、18は、垂下状態の枢支フック17、17の係止切欠き17c、17c側の下方に衝止し、その後、一方側・他方側の半截下部ボックス6・7が相互に近接するに伴って、当該ピン18、18は係止切欠き17c、17c側の上方に移動し、しかも当該枢支フック17、17を押しながら移動する(ホ矢印)。その後、この枢支フック17、17の動きは、当該枢支フック17、17が前記分岐部13b、13b(14b、14b)に余裕を持って嵌入されていることで達成される。またピン18、18は、前記誘導を介して枢支フック17、17の係止切欠き17c、17c側を移動しつつ、最終的には係止切欠き17c、17cに挿入係止される。この挿入係止の段階で、前記一方側の半截下部ボックス6と、他方側の半截下部ボックス7が閉塞されるとともに、その底板6d、7dは弾性体9、9で閉塞される。尚、この誘導及び／又は支持手段(水平突出板19と係止片20)は一例であり、図示しないが突出板と鞘板、突出板と長孔、リンク機構等の他の手段でも可能であり、必要により変更される。図中19ａは水平突出板19の補強片を示す。
【００４１】
図中30は一方側・他方側の半截下部ボックス6・7間に設けた開度調整手段で、この開度調整手段30を介して当該一方側・他方側の半截下部ボックス6・7の可動範囲と、開口の大小を決定する。この例では、上部ボックス1に設けた対の支持片30ａ、30ａと、この支持片30ａ、30ａの長孔に貫通した開度規制ボルト30ｂ、30ｂと、この開度規制ボルト30ｂ、30ｂで規制される一方側・他方側の半截下部ボックス6・7にそれぞれ設けた長孔を備えた他の支持片30ｃ、30ｃと、前記開度規制ボルト30ｂ、30ｂの自由端に螺合したナット30ｄ、30ｄと、ピン30ｅ、30ｅとで構成する。そして、この開度規制ボルト30ｂ(以下一方側で説明する)は、一方側の半截下部ボックス6が開放されると(開口すると)に従って、順次この開度規制ボルト30ｂは、支持片30ａの長孔及び他の支持片30cの長孔を利用して可動する。この開度規制ボルト30ｂの可動に付随して、順次一方側の半截下部ボックス6が可動していき、当該開度規制ボルト30ｂの他端のナット30ｄに一方側の半截下部ボックス6の他の支持片30ｃが衝止した段階で、この一方側の半截下部ボックス6の開放が停止される。またナット30ｄの調整を利用して一方側の半截下部ボックス6の開度(可動)を調整する。この例では、ボックスパレットへの重量物の収容及び／又は一方側・他方側の半截下部ボックス6・7の盲動、衝撃回避等に有効である。そして、このボックスパレットに軽量物等を収容する場合には、一方側・他方側の半截下部ボックス6・7間に差渡したワイヤ、リンク又はチェーン等の他の手段でも可能である。尚、開度規制ボルト30ｂにスプリングを捲装して衝撃緩和、破損防止等を図ることも可能である。
【００４２】
また図中31は一方側・他方側の半截下部ボックス6・7の下端に設けたベース兼キャップで、このベース兼キャップ31は上部ボックス1に設けた突起100に載置されることで、当該ボックスバレットを重ね積みできる。そしてもこのベース兼キャップ31をキャスター(図示せず)に変更し、移動自在とすることもあり得る。
【００４３】
図中40は一方側の半截下部ボックス6と、他方側の半截下部ボックス7との閉塞を確保するロック杆で、このロック杆40は、当該一方側の半截下部ボックス6に設けた水平突出部19の孔と、他方側の半截下部ボックス7に設けたロック用片41の孔に、それぞれ挿入・脱抜自在に構成されている。従って、この一方側の半截下部ボックス6の水平突出板19及びロック用片41の孔へのロック杆40のそれぞれ挿入による一方側・他方側の半截下部ボックス6・7の規制は、前記ピン18、18と枢支フック17、17との規制が外れた場合において、有効である。即ち、他方側の半截下部ボックス7の可動は、この一方側の半截下部ボックス6の水平突出板19及びロック用片41の孔へのロック杆40のそれぞれ挿入によって規制される。従って、仮に前記ピン18、18より枢支フック17、17が係脱(破損等の故障)しても、この他方側の半截下部ボックス7の勝手な可動が規制されるので、極めて安全である。そして、このロック杆40は一例であり、この一方側の半截下部ボックス6と、他方側の半截下部ボックス7とを緊締(閉塞固止)する構造であればよく、限定されない。
【００４４】
尚、図9は前記の図1〜図8における例の他の例を示しており、具体的には、弾性体16の取付け箇所を操作板13の基端側のやや内側と上部ボックス1との間に設けた例であり、例えば、迅速な復帰と、耐久性の更なる向上とを意図する。そして、この例では、操作板13、14の可動で弾性体16、16が伸縮する。
【００４５】
次に図10〜図12に示した一例を説明すると、この例は、図1〜図9に示した例のさらに他の一例であり、基本的な構造は前述の例に準ずる。従って、相違する箇所を基本に説明する。この例では、上部ボックス1を細幅の枠体で構成した枠形状として、構造のコンパクト化を意図する。この上部ボックス1の枠形状に準じて、一方側の半截下部ボックス6と他方側の半截下部ボックス7の上端をフラットにする。尚、この例では、受け部6d-1、7d-1を省略して機構の簡略化、低コスト化等を図ることを意図する(他の例もあり得る)。そして、この例では、上部ボックス1の両側面に対の半截下部ボックスの開閉を司る対のクランク機構を設け、このクランク機構を保護カバー42で隠蔽した構造とする(他の例もあり得る)。この隠蔽で、クランク機構の保護、このクランク機構に起因する怪我の発生回避等が図れる実益がある。
【図面の簡単な説明】
【００４６】
【図１】本発明のボックスパレットの一部省略の平面図
【図２】本発明のボックスパレットの一部省略の側面図
【図３】本発明のボックスパレットの正面図
【図４】本発明の操作板と枢支フックとピン及び一方側・他方側の半截下部ボックスの連繋関係を説明する拡大正面図
【図５】本発明の一方側・他方側の半截下部ボックスの底部であって、その要部の一例を示した正面図
【図６】本発明の一方側・他方側の半截下部ボックスを開口した状態の正面図
【図７】本発明の一方側・他方側の半截下部ボックスの開口から略閉塞する一過程を示した正面図
【図８】本発明の水平突出板と係止片の他の一例を示した一部省略の要部正面図
【図９】本発明の他のボックスパレットの一部省略の正面図
【図１０】本発明のボックスパレットの他の一例を示した平面図
【図１１】本発明のボックスパレットの他の一例を示した正面図
【図１２】本発明のボックスパレットの他の一例の一方側・他方側の半截下部ボックスを開口した状態の正面図
【符号の説明】
【００４７】
1             上部ボックス
100           突起
101           プレート挿入用棧
102           吊下げ用丸環
1a            側面
1b            側面
2             筒形空洞部
200           易滑部材
3             補助梁
4             突起
5             丁番
6             一方側の半截下部ボックス
6a            側面
6b            側面
6c            側面
6d            底板
6d-1          受け部
6e            補強鋼材
7             他方側の半截下部ボックス
7a            側面
7b            側面
7c            側面
7d            底板
7d-1          受け部
7e            補強鋼材
8             隙間
9             弾性体
10            車輪
10a           取付け部
12            筒形空洞部
13            操作板
13a           枢支軸
13b           分岐部
13c           係止軸
14            操作板
14a           枢支軸
14b           分岐部
14c           係止軸
15            連結杆
16            弾性体
17            枢支フック
17a           折曲げ端部
17b           枢軸
17c           係止切欠き
18            ピン
19            水平突出板
19a           補強片
20            係止片
30            開度調整手段
30a           支持片
30b           開度規制ボルト
30c           他の支持片
30d           ナット
30e           ピン
31            ベース兼キャップ
40            ロック杆
41            ロック用片
42            保護カバー
【図１】
2005255197.tif 000003
【図２】
2005255197.tif 000004
【図３】
2005255197.tif 000005
【図４】
2005255197.tif 000006
【図５】
2005255197.tif 000007
【図６】
2005255197.tif 000008
【図７】
2005255197.tif 000009
【図８】
2005255197.tif 000010
【図９】
2005255197.tif 000011
【図１０】
2005255197.tif 000012
【図１１】
2005255197.tif 000013
【図１２】
2005255197.tif 000014